(57)【要約】      （修正有）【課題】バストからウエストラインにかけての三次元形状を反映したパターンの作成技術を提供する。【解決手段】衣服用パターンの作成方法において、着用者のアンダーバスト寸法値を基準値として利用して、少なくとも、第１の中心線と第１のネックラインと、第１の肩線と、第１のアームホールと、第１の脇線と、第１のウエストラインとを備え、着用者のバストを主体とする身体表面の凹凸に対応した三次元形状相当分を実質的に含まない第１のパターンを作成し、この第１のパターンに対して、バストラインを付与し、第１のパターンのうち前身頃分を、前記バストラインで縦方向に少なくとも２分割し、身幅方向に２分割して得られる、少なくとも４個のエレメントを作成して、前記三次元形状相当分を内包するように、これらの少なくとも４個のエレメントを再配置して第２のパターンを作成する。【選択図】図５
2004232103.tif 000002
【特許請求の範囲】
【請求項１】
衣服用パターンの作成方法であって、
（ａ）着用者のアンダーバスト寸法値を基準値として利用して、少なくとも、第１の中心線と第１のネックラインと、第１の肩線と、第１のアームホールと、第１の脇線と、第１のダーツと、第１のウエストラインとを備え、着用者のバストを主体とする身体表面の凹凸に対応した三次元形状相当分を実質的に含まない第１の上身ごろパターンを作成する工程と、
（ｂ）（ａ）工程で得られた第１のパターンに対して、トップバストラインを付与する工程と、
（ｃ）前記第１のパターンの前身頃を、前記トップバストラインで縦方向に少なくとも２分割し、身幅方向に２分割して得られる、前中心線側上方エレメントと、前中心線側下方エレメント、脇線側上方エレメントと、脇線側下方エレメントとを含む少なくとも４個のエレメントを作成する工程、
と、
（ｄ）前記三次元形状相当分を内包するように、これらの少なくとも４個のエレメントを再配置して第２のパターンを作成する工程、
とを備え、
前記少なくとも４個のエレメントのうちトップバストライン以下のエレメントにおいて、前記トップバストラインより所定距離下方位置にトップバストラインに平行なアンダーバストラインを付与し、このアンダーバストライン近傍において前記三次元形状相当分を内包させるように修飾する工程を備える、方法。
【請求項２】
衣服用パターンの作成方法であって、
（ａ）着用者のアンダーバスト寸法値を基準値として利用して、少なくとも、第１の中心線と第１のネックラインと、第１の肩線と、第１のアームホールと、第１の脇線と、第１のダーツと、第１のウエストラインとを備え、着用者のバストを主体とする身体表面の凹凸に対応した三次元形状相当分を実質的に含まない第１のパターンを作成する工程と、
（ｂ）（ａ）工程で得られた第１のパターンに対して、トップバストラインを付与する工程と、
（ｃ）前記第１のパターンの前身頃を、前記トップバストラインで縦方向に少なくとも２分割し、身幅方向に２分割して得られる、前中心線側上方エレメントと、前中心線側下方エレメント、脇線側上方エレメントと、脇線側下方エレメントとを含む少なくとも４個のエレメントを作成する工程、
と、
（ｄ）前記三次元形状相当分を内包するように、これらの少なくとも４個のエレメントを再配置して第２のパターンを作成する工程、
とを備え、
前記少なくとも４個のエレメントのうちトップバストライン以下のエレメントにおいて、前記トップバストラインより所定距離下方位置にトップバストラインに平行なアンダーバストラインを付与し、このアンダーバストラインで分割され追加される２個のエレメントを前記少なくとも４個のエレメントともに再配置して第２のパターンを得る工程を備える、方法。
【請求項３】
前記追加される２個のエレメントは、ネックポイントからバストポイントからウエストラインに到達する体表面に沿った寸法−前丈に相当する寸法値に基づいて再配置される、請求項２記載の方法。
【請求項４】
衣服用パターンの作成方法であって、
（ａ）着用者のアンダーバスト寸法値を基準値として利用して、少なくとも、第１の前中心線と第１のネックラインと、第１の肩線と、第１のアームホールと、第１の脇線と、第１のダーツと、第１のウエストラインとを備え、着用者のバストを主体とする身体表面の凹凸に対応した三次元形状相当分を実質的に含まない第１のパターンを作成する工程と、
（ｂ）（ａ）工程で得られた第１のパターンに対して、トップバストラインを付与する工程と、
（ｃ）前記第１のパターンのうち前身頃側を、前記トップバストラインで縦方向に少なくとも２分割し、身幅方向に２分割して得られる少なくとも４個のエレメントを作成する工程、
と、
（ｄ）前記三次元形状相当分を内包するように、これらの少なくとも４個のエレメントを修飾及び／又は再配置する工程、
とを備え、
ネックポイントを中心とし着用者のネックポイント〜ウエストライン前中心点とを結ぶ寸法値を利用して、前記少なくとも４個のエレメントを再配置する工程、
とを備える、方法。
【請求項５】
請求項１〜４のいずれかに記載のパターン作成方法を実行するプログラム。
【請求項６】
請求項４に記載のプログラムを実行可能に備えるＣＡＤ装置。
【請求項７】
請求項１〜４のいずれかに記載のパターン作成方法によって得られる第２のパターンに、ヒップを主体とする下半身パターンを結合して、第３のパターンを作成する工程、
を備える、衣服用パターンの作成方法。
【請求項８】
請求項７に記載のパターン作成方法を実行するプログラム。
【請求項９】
請求項８に記載のプログラムを実行可能に備えるＣＡＤ装置。
【請求項１０】
請求項１〜４のいずれかに記載のパターン作成方法によって得られる第２のパターンに、ヒップを主体とする下半身パターンを結合して、第３のパターンを作成する工程と、
第３のパターンを用いて型紙を作成する工程、
とを備える、型紙作成方法。
【請求項１１】
請求項１０に記載の方法を実行するプログラム。
【請求項１２】
請求項１１に記載のプログラムを実行可能に備えるＣＡＤ装置。
【発明の詳細な説明】
【０００１】
【発明の属する技術分野】
この発明は、衣服用型紙を作成するための体型パターン（原型）を作成する技術に関し、具体的には、上半身の横寸法（胸囲、トップバスト、アンダーバスト）等と縦寸法とを用いてパターンを作成する技術、このパターンに基づいて衣服用型紙を作成する技術、さらには、この衣服用型紙に基づいて衣服を作製する技術に関する。また、このようなパターン及び衣服用型紙を作成する方法を実施するプログラムに関する。
【０００２】
【従来の技術】
衣服を製作するには、布地を、身ごろ、袖、襟などの各種のパーツに裁断し、これらのパーツを縫い合わせることによって人体の三次元形状に適合させるようになっている。これらのパーツは、通常、それぞれのパーツの型紙に基づいて布地を裁断することによって得られている。
各バーツの型紙のうち、上身ごろ、特に前身ごろはバストの存在などにより凹凸が多い。このため、上衣用の型紙を作成するのは比較的困難である。
【０００３】
型紙を作成する手法の一つとして、平面製図法がある。この方法では、一般に、（１）採寸対象者（つまり着用者）のバスト・背丈・袖丈等の採寸寸法とＪＩＳ規格の標準寸法とを基にした計算により、デザイン分やゆとり分を含まず着用者の実際の寸法体型を平面上に展開した「原型」を作成し、（２）この原型にデザイン分やゆとり分を紙面上でおおまかに書き加えていく。したがって、全ての製図作業を紙面上でおこなうことができるので簡単であり、短時間で原型及び型紙を作成することができる。しかし、この方法により作成した型紙を使用した場合、得られた各パーツを一旦仮縫いし、組立てた状態をチェックして、サイズのずれを補正するという面倒な作業を要する一方で、得られた衣服が結局は立体感に欠けるものであったりした。
【０００４】
ここに、型紙の作成法として、ＪＩＳ規格における各種横寸法に加え、トップバストのバストポイントを中心として着用者の体格の指標となりうる「ワンバスト（１Ｂ）寸法」（あるいは「上胸囲寸法」）という新たな寸法概念を利用して、まず平面的な原型を作成する方法があるものである（特許文献１〜３）。なお、この１Ｂ寸法とは、着用者のバストポイントより約５ｃｍ〜約６ｃｍ上方に位置する点と両脇下とを結ぶ直線の上をメジャーが通過するようにして測定した胸部周りの寸法であることが特開２００１−１１７２１公報に記載されている。平面原型を作成後、この原型において新たに設定したバストポイントを中心にして原型を４個に切開し、分割する。分割により得られたユニットを回転させたり、移動させたりすることにより、最終的にパターンを得るものである。
【０００５】
【特許文献１】
実公昭５８−１２８０８号公報
【特許文献２】
特公平２−２９７６３号公報
【特許文献３】
特開２００１−１１７２１号公報
【０００６】
この方法によれば、この１Ｂ寸法は、上記２Ｂ寸法とは異なり、バストの膨らみ部分（および肩胛骨）を避けるように測定されるため、着用者のバストの膨らみの大小に左右されず、その体幹部の骨格の大きさを把握するのに利用できる。また、いわゆるアンダーバストとは異なり、大胸筋上を通るように測定されるので、着用者の筋肉量も大まかに把握することができることも記載されている。
【０００７】
【発明が解決しようとする課題】
しかしながら、このパターンによれば、上半身の上部、すなわち、バストポイントより上部を主体とした三次元形状感を反映させることができるものの、特に、バストの立体感に大きく影響する要素、すなわち、バスト間の凹部やトップバストとアンダーバストとの高低差に由来する身体表面側の凹凸をパターンに反映させることができなかった。結果として、このパターンに基づいて作成された型紙による衣服では、所望のデザインやフィット感を得るには、依然として、従前どおりの、カンなどに頼る補正を必要としていた。
そこで、本発明では、バストからウエストラインにかけての三次元形状を反映したパターンの作成技術を提供すること、及びこれにより、最終的に得られる衣服において、所望のデザインやフィット感を容易に付与することを目的とする。
【０００８】
【課題を解決するための手段】
本発明者は、上半身の立体感をパターンに内包させるべく検討を重ねた結果、新たな寸法値概念を導入することによって、これを達成できることを見出し、本発明を完成した。
すなわち、本発明者は、第１に、いわゆるアンダーバスト寸法を平面原型（第１のパターン）を作成するための基準寸法として採用する。第２に、この第１のパターンにおいて、トップバストラインに加えて、アンダーバストラインを設定し、このアンダーバストラインをエレメントの修飾や配置に利用する。第３に、第１のパターンをアンダーバストラインを利用してエレメントの再配置を行うのに際して、ネックポイント〜バストポイント〜ウエストラインを結ぶ直線的な寸法（前丈というものとする。）の他、ネックポイント〜バストポイント〜ウエストラインに至る体表面に沿った寸法（前フィット丈というものとする。）と、ネックポイント〜ウエストライン前中心とを結ぶ体表面に沿った寸法（前センターフィット丈というものとする。）との計３種類の寸法値を利用する。
したがって、本発明によれば以下の手段が提供される。
【０００９】
（１）衣服用パターンの作成方法であって、
（ａ）着用者のアンダーバスト寸法値を基準値として利用して、少なくとも、第１の中心線と第１のネックラインと、第１の肩線と、第１のアームホールと、第１の脇線と、第１のウエストラインとを備え、着用者のバストを主体とする身体表面の凹凸に対応した三次元形状相当分を実質的に含まない第１のパターンを作成する工程と、
（ｂ）（ａ）工程で得られた第１のパターンに対して、トップバストラインを付与する工程と、
（ｃ）前記第１のパターンのうち前身頃分を、前記トップバストラインで縦方向に少なくとも２分割し、身幅方向に２分割して得られる、前中心線側上方エレメントと、前中心線側下方エレメント、脇線側上方エレメントと、脇線側下方エレメントとを含む少なくとも４個のエレメントを作成する工程、
と、
（ｄ）前記三次元形状相当分を内包するように、これらの少なくとも４個のエレメントを再配置して第２のパターンを作成する工程、
とを備え、
前記少なくとも４個のエレメントのうちトップバストライン以下のエレメントにおいて、前記トップバストラインより所定距離下方位置にトップバストラインに平行なアンダーバストラインを付与し、このアンダーバストライン近傍において前記三次元形状相当分を内包させるように修飾する工程を備える、方法。
（２）衣服用パターンの作成方法であって、
（ａ）着用者のアンダーバスト寸法値を基準値として利用して、少なくとも、第１の中心線と第１のネックラインと、第１の肩線と、第１のアームホールと、第１の脇線と、第１のウエストラインとを備え、着用者のバストを主体とする身体表面の凹凸に対応した三次元形状相当分を実質的に含まない第１のパターンを作成する工程と、
（ｂ）（ａ）工程で得られた第１のパターンに対して、トップバストラインを付与する工程と、
（ｃ）前記第１のパターンのうち前身頃分を、前記トップバストラインで縦方向に少なくとも２分割し、身幅方向に２分割して得られる、前中心線側上方エレメントと、前中心線側下方エレメント、脇線側上方エレメントと、脇線側下方エレメントとを含む少なくとも４個のエレメントを作成する工程、
と、
（ｄ）前記三次元形状相当分を内包するように、これらの少なくとも４個のエレメントを再配置して第２のパターンを作成する工程、
とを備え、
前記第１のパターンの前身頃を構成する前記少なくとも４個のエレメントのうちトップバストライン以下のエレメントにおいて、前記トップバストラインより所定距離下方位置にトップバストラインに平行なアンダーバストラインを付与し、このアンダーバストラインで分割され追加される２個のエレメントを前記少なくとも４個のエレメントともに再配置して第２のパターンを得る工程を備える、方法。
（３）前記追加される２個のパターンは、（前フィット丈−前丈）寸法値に基づいて再配置される、（２）記載の方法。
（４）衣服用パターンの作成方法であって、
（ａ）着用者のアンダーバスト寸法値を基準値として利用して、少なくとも、第１の中心線と第１のネックラインと、第１の肩線と、第１のアームホールと、第１の脇線と、第１のウエストラインとを備え、着用者のバストを主体とする身体表面の凹凸に対応した三次元形状相当分を実質的に含まない第１の上身ごろパターンを作成する工程と、
（ｂ）（ａ）工程で得られた第１のパターンに対して、トップバストラインを付与する工程と、
（ｃ）前記第１のパターンの前身頃を、前記トップバストラインで縦方向に少なくとも２分割し、身幅方向に２分割して得られる少なくとも４個のエレメントを作成する工程、
と、
（ｄ）前記三次元形状相当分を内包するように、これらの少なくとも４個のエレメントを修飾及び／又は再配置する工程、
とを備え、
ネックポイントを中心とし着用者のネックポイント〜ウエストライン前中心点とを結ぶ寸法値を利用して、前記少なくとも４個のエレメントを再配置する工程、
とを備える、方法。
（５）（１）〜（４）のいずれかに記載のパターン作成方法を実行するプログラム。
（６）（５）に記載のプログラムを実行可能に備えるＣＡＤ装置。
（７）（１）〜（４）のいずれかに記載のパターン作成方法によって得られる第２のパターンに、ヒップを主体とする下半身パターンを結合して、第３のパターンを作成する工程、
を備える、衣服用パターンの作成方法。
（８）（７）に記載のパターン作成方法を実行するプログラム。
（９）（８）に記載のプログラムを実行可能に備えるＣＡＤ装置。
（１０）（１）〜（４）のいずれかに記載のパターン作成方法によって得られる第２のパターンに、ヒップを主体とする下半身パターンを結合して、第３のパターンを作成する工程と、
第３のパターンを用いて型紙を作成する工程、
とを備える、型紙作成方法。
（１１）（１０）に記載の方法を実行するプログラム。
（１２）（１１）に記載のプログラムを実行可能に備えるＣＡＤ装置。
【００１０】
着用者のアンダーバスト寸法を基準寸法とすることにより、バスト下方の胴体骨格を基礎とし、かつバストなどの身体の凹凸などを備える着用者の上半身、特に前身の三次元形状を、適切に平面に展開させることができる。
また、アンダーバストラインを設定することにより、バストを主体とする身体前面の三次元形状を内包するエレメントの修飾を適切に行うことができるようになる。また、アンダーバストラインでパターンを分割して新たにエレメントを創出し、これらのエレメントを再配置することにより、身体前面の三次元形状を内包するよう再配置することができるようになる。すなわち、アンダーバスト部位のみならず、バストの脇側、バスト間などの三次元形状の特徴を反映させることができる修飾や再配置が可能となる。
さらに、エレメントの再配置に際して、ネックポイント〜ウエストライン前中心とを結ぶ体表面に沿った寸法（前センターフィット丈というものとする。）を利用することにより、身体前面の中心よりの凹部（典型的にはバスト間凹部）の三次元形状をパターンに内包できるようになる。また、ネックポイント〜バストポイント〜ウエストラインに至る体表面に沿った寸法（前フィット丈というものとする。）を新たに採用し、この前フィット丈から前丈を差し引いた寸法値を採用することにより、トップバストからアンダーバストにかけての三次元形状をパターンに内包させることができるようになる。
【００１１】
【発明の実施の形態】
以下、本発明の実施の形態について説明する。
まず、本発明のパターン作成方法において、必要とする寸法実測値について説明する。なお、図１には、本発明において特徴的な寸法実測値の採寸場所について記載している。
（１）「ワンバスト（１Ｂ）」は、上述したように、着用者のバストポイントより約５ｃｍ〜約６ｃｍ上方に位置する点と、着用者の両脇下とを結ぶ直線の上を測定用器具（メジャー等）が通過する胴体回りのラインをいう。この周径が１Ｂ寸法である。
（２）「ツウバスト（２Ｂ）」は、バストポイントを通る水平面で測定した胸部周径の寸法値である。
（３）「スリーバスト」（３Ｂ）は、着用者のバストポイント下方のアンダーバストポイントを通る水平面で測定した胸部周径の寸法値である。図１（ａ）に示すように、通常、ツウバストより約４〜約５ｃｍ下方に位置し、ツウバストにほぼ平行である。３Ｂは、いわゆるアンダーバスト寸法である。
（４）「ウエスト」は胴部の最も細い部分を通る水平面で測定した寸法値である。
（５）「中ヒップ（ミドルヒップ）」は、ウエストとヒップとの中間点を通る水平面で測定した寸法値である。
（６）「ヒップ」は腰部の最も太い部分を通る水平面で測定した寸法値である。
（７）「ヒップ丈」はウエストからヒップまでの距離を身体の脇で測定した寸法値である。
（８）「前丈」は、サイドネックポイント（ネックラインと僧坊筋上部線前縁との交点（ＪＩＳ規格））からバストポイントを通過してウエストラインまでの距離を測定した寸法値である。
（９）「バスト下がり」は、サイドネックポイントからバストポイントまでの距離を測定した寸法値である。
（１０）「バストポイント幅」は、両バストポイント間の距離を測定した寸法値である。
（１１）「胸幅」は左右の腕の付け根の間の距離を直線的に測定した寸法値である。
（１２）「背幅」は左右の腕の付け根間の距離を背面で直線的に測定した寸法値である。
（１３）「肩幅」は、両肩のショルダーポイント（側面から見て上腕上部の幅を２等分する垂線とアームサイラインとの交点（ＪＩＳ規格））の間の距離を測定した寸法値である。
（１４）「背丈」は、背面の中心線上において、バックネックポイント（第７頚椎の突起の先端（ＪＩＳ規格））からウエストラインまでの距離を測定した寸法値である。
（１５）「前フィット丈」は、サイドネックポイントから、バストポイント、アンダーバストポイントを通過してウエストラインまでの体表に沿って測定した寸法値である。図１（ｂ）のＮＰ−ＢＰ−ＵＢＰ−ＷＬ線に相当する。
（１６）「前センター丈」は、サイドネックポイントから、ウエストライン中心までの距離を測定した寸法値である。図１（ｃ）のＮＰ−ＦＷＬ線に相当する。
（１７）「後ろセンター丈」は、サイドネックポイントから、ウエストライン後ろ中心までの距離を測定した寸法値である。図１の（ｄ）のＮＰ−ＢＷＬ線に相当する。
【００１２】
これらの寸法値は、着用者を対象として実測することもできるが、たとえば、着用者の１Ｂ、２Ｂあるいは３Ｂのみを測定して、この測定値に基づいて、各種の体型サイズ表から適切なサイズ表を選択し、そこに記載された標準寸法を寸法値として採用することもできる。図２には、このようなサイズ表を例示している。なお、前フィット丈、前センター丈、後ろセンター丈などの寸法値については、新たな寸法概念であるので、実測可能な場合には実測することが好ましい。
【００１３】
以下、第１のパターンの作成、エレメントの再配置、第２のパターンの作成の順に、図に例示する本発明の一実施形態に基づいて説明する。以下の実施形態で用いる寸法はいずれも単位はｃｍである。なお、図示される式、寸法及び移動量、パターン並びにパターン工程は、本発明の好ましい実施形態であるが、あくまで例示であって、本発明はこれらの式及び寸法、パターン及びパターン工程に限定されるものではない。特に、式、寸法及び移動量、なかでも寸法及び移動量は、作製しようとするパターンのフィット性や衣服の種類によって異ならせることができる。
（第１のパターンの作成）
第１のパターンとは、着用者のアンダーバスト寸法測定値を基準値として利用して、少なくとも、第１の前中心線と第１のネックラインと、第１の肩線と、第１のアームホールと、第１の脇線と、第１のウエストラインとを第１の輪郭として備える。このパターンは、バスト・肩胛骨などの身体の凹凸部分の三次元形状分を実質的に含まないパターンである。なお、第１のパターンは、ウエストラインからバストポイントあるいは肩甲骨頂点に向かって切開される第１のダーツ（ウエストダーツ）を備えることもできる。
なお、本発明において第１のパターンの作成〜第２のパターンの作成〜第３のパターンの作成は、前身頃のみについて実施することもできるが、以下の説明においては、前身頃と後身頃との双方について説明する。
【００１４】
まず、必要な寸法値を決定する。本形態では、着用者の３Ｂ寸法に基づいて、図２に示す体型サイズ表の９号の寸法値を用いたパターンを作成することとする。
〔基本線設定〕
図３に示すように、高さ（左右辺）が「背丈」寸法に相当し、幅（上下辺）が｛（「１Ｂ」寸法÷２）＋３｝となるような長方形を描く。そして、この長方形の上辺から（「３Ｂ」寸法÷４）の位置に、上下辺に対して平行な直線１を描く。図３中、長方形の左辺が前中心線（Ｃ・Ｆ）、右辺が後中心線（Ｃ・Ｂ）となる。
【００１５】
〔脇線の設定〕
図３に示すように、直線１のＣ・Ｆ側から（「胸幅」寸法÷２）の位置に点アを設定する。次に、Ｃ・Ｂ側から（「背幅」寸法÷２）の位置、に点イを設定する。次いで、点アと点イとの中点（点ウ）から下辺に向かって垂直線２を描く。この垂直線２が脇線となる。
また、点ウの両側（「３Ｂ」寸法÷１５）の位置に、点エおよび点オを設定する。点アと点エの中点、及び点イと点オの中点をとり、これらの中点からそれぞれ、長方形の上辺に向かって垂直線３および４を描く。この垂直線３および４と上辺とが交わった点をそれぞれ点カおよび点キとする。
【００１６】
〔ネックラインの設定〕
図４に示すように、長方形の左辺（Ｃ・Ｆ側）と点カとの中点を点クとする。この点ク（前ネックポイント）から、Ｃ・Ｆ側に向かって（「３Ｂ」寸法÷１１）の位置に点ケを、また、長方形の左上端から「乳下がり（バスト下がり）」寸法分の位置に点コを設定する。そして点ケと点コとを結んで直線５とする。直線５は、新たな前中心線（ＣＦ）の一部となる。
次に、直線５上に、点ケから（［「３Ｂ」寸法÷１１］＋０．５）の位置に点サを設定する。そして、点クと点サとを図示したようなカーブで結び、これを曲線６とする。
一方、長方形の右辺（Ｃ・Ｂ）から（「３Ｂ」寸法÷１１）の位置に点シを設定する。この点シから上方に向かって垂直線７を描き、この垂直線７上の、点シから｛（「背幅」寸法−「胸幅」寸法）÷２｝上方の位置に点スを設定する。そして点ス（後ろネックポイント）と長方形の右上端とを図示したようなカーブで結び、これを曲線８とする。曲線６は前ネックライン、曲線８は後ネックラインとなる。
【００１７】
〔肩線の設定〕
図４に示すように、長方形の上辺から［（「背幅」寸法−「胸幅」寸法）÷２］分、平行に下がる直線９を描き、この直線９から上方に、（「３Ｂ」寸法÷３０）離間した平行な直線１１と、下方にも（「３Ｂ」寸法÷３０）離間した平行な直線１３とを描く。
後ろネックポイントである、点スから、直線４と直線１１の交点キとを結び、（「背肩幅」寸法÷２）の長さを有する後ろ肩線１５を描く。この肩線１５の先端点セから直線４の中点とを結ぶ直線とこの直線の先から点ウとを結ぶ曲線を描き、全体として後アームホール（ＡＨ）線１７を描く。後ＡＨ線１７は、全体としてカーブを描くようにしてもよい。なお、ＡＨ線１７のうち、直線４の中点から点ウをとおるカーブ部位は、直線４と直線１との交点から、左上４５°方向に２．０ｃｍの位置をとおるようにすることが好ましい。
一方、前ネックポイントである点クから、直線３と直線１３との交点を通り、後ろ身ごろ肩線と同寸の長さを有する前肩線１９を描く。この先端点ソから、直線１３との交点以下の直線部分の中点を通る直線を引き、さらにこの直線の先から点ウを通る曲線を引き、全体として前アームホール（ＡＨ）線２１を描く。前ＡＨ線は、全体としてカーブを描くようにしてもよい。なお、ＡＨ線２１のうちカーブ部位は、直線３と直線１との交点から、右４５°方向に１．０ｃｍの位置をとおるようにすることが好ましい。
【００１８】
〔ウエストダーツの設定〕
図５に示すように、長方形の上下辺に平行で、点コを通る直線１４を描き、（「乳幅（バストポイント幅）」寸法÷２）に点タを設定して、これをバストポイント（Ｂ・Ｐ）とする。この点タから長方形の下辺に向けて垂直線をひき、下辺との交点から、左右１．０ｃｍの位置に点チおよび点ツを設定する。そして点タと、点チおよび点ツとを結んで図示したような二等辺三角形を描き、この部分を前ダーツＦＤとする。
また、直線４の中点から長方形の右辺（ＣＢ）に垂直に直線２３を描く。直線２３の中点を点テ（肩甲骨頂点）とする。直線２３から、直線１上の、右辺ＣＢと直線４との中点である点トを通り、長方形の下辺に向けて垂直線２５をひく。この垂直線２５と下辺との交点から左右１．５ｃｍの位置に点ナおよび点ニを設定する。そして点テと、点ナおよび点ニとを結んで図示したような二等辺三角形を描き、この部分を後ダーツＢＤとする。
【００１９】
〔脇線の設定〕
次に、長方形の下辺上の、左辺（ＣＦ）に一致する点ヌから｛（「ウエスト」寸法÷４）＋２．０｝の位置に点ネを設定し、この点ネと点ウとを結んだ直線２７を前脇線とする。また、長方形の下辺上の、右辺（ＣＢ）に一致する点リから｛（「ウエスト」寸法÷４）＋３．０｝ｃｍの位置に点ルを設定し、この点ルと点ウとを結んだ直線２９を後脇線とする。脇線が設定されることより、前ウエストライン３１と後ろウエストライン３３とが設定されることになる。
【００２０】
以上のようにして、前中心線と前ネックライン６と、前肩線１９と、前ＡＨ線２１と、前脇線２７と、前ウエストライン３１とを輪郭として有する第１の前パターン４０を得ることができる。同様に、後中心線（ＣＢ）と後ネックライン６と、後肩線１５と、後ＡＨ線１７と、後脇線２９と、前ウエストライン３３とを輪郭として有する第１の後ろパターン４２を得ることができる。なお、本形態においては、いずれの第１のパターン４０、４２も、ダーツＦＤ、ＢＤを有している。ダーツＦＤ、ＢＤは、後段の工程で付与することもできる。
【００２１】
（トップバストラインとアンダーバストラインの２種類のバストラインの付与）次いで、図６に示すように、点ウを共有し、前後ウエストラインが同一直線上に位置するように配置された第１のパターン４０、４２に対して、「トップバストラインと、この線から所定距離下方であって当該バストラインに対して平行な「アンダーバストライン」線とを付与する。「トップバストライン」を以下、「２Ｂ」線（２ＢＬ）といい、「アンダーバストライン」を、「３Ｂ」線（３ＢＬ）という。
「２Ｂ」線は、点コ及び点タを通り、前脇線２７、後ろ脇線２９と交差し、ＣＢ線に到達する直線４３（４３ａ〜４３ｄ）として描く。
さらに、「３Ｂ」線は、直線４３から４ｃｍ下がった平行線４５（４５ａ〜４５ｄ）として描く。
なお、「３Ｂ」線が「２Ｂ」線から離間する距離は、本形態では４ｃｍとしたが、一般的には、約３．５ｃｍ〜約４．５ｃｍ程度である。「２Ｂ」線４３の第１のパターン４０、４２内における各部位４３ａ〜４３ｄと「３Ｂ」線４５ａ〜４５ｄとは、それぞれ第１のパターン４０、４２を縦方向に分割する分割線を構成することができる。また、身体の三次元形状を内包させる際の修飾及び／又は再配置のために用いることができる。
【００２２】
さらに、前後肩線１９、１５の３等分点をとり、それぞれネックポイント寄りの３等分点を点ハおよび点ヒとする。第１のパターン４０にあっては、点ハとバストポイントである点タとを結んで直線４７とし、第１のパターン４２にあっては、点ヒと点テとを結んで直線４９とする。直線４７と直線４９とは、それぞれ前ダーツＦＤと後ダーツＢＤとともに、それぞれの第１のパターンを左右に分割する分割線を構成することができる。
【００２３】
この結果、２Ｂ線４３ａ〜４３ｂにより、第１のパターン４０を上下に分割し、直線４７と前ダーツにより、第１のパターン４０を左右に分割することにより、第１のパターン４０を４つのエレメントに分割することができる。すなわち、第１のパターン４０を、前中心線側上方エレメントｉ、前中心線側下方エレメントｉｉ、前脇線側上方エレメントｉｉｉ、前脇線側下方エレメントｉｖとに分割することができる。
さらに、直線４５ａ〜４５ｂにより、下方エレメントｉｉ、ｉｖをそれぞれさらに縦に２分割することができる。これにより、第１のパターン４０を６個のパターンに分割できるようになる。
なお、第２のパターン４２にあっては、直線４９と後ダーツ線とによって左右に分割し、さらに、脇線側部分を直線２３で縦に分割して３つのエレメントに分割することができる。すなわち、後中心線側エレメントｉ、後脇線側上方エレメントｉｉ、後脇線側下方エレメントｉｉｉとに分割することができる。図６の第１のパターン４２において、点セ、点レ、点テ（肩甲骨点）、点ヒで囲まれた部分が、エレメントｉｉとなる。なお、点レは、直線４の中点である。
【００２４】
なお、第１のパターン４０、４２における３Ｂ線である直線４５ａ〜４５ｄの総和と着用者の（「３Ｂ」寸法値＋４）÷２との差を算出し、この（差÷６）寸法を各パターン４０、４２のダーツの内側と脇線２７、２９の計６箇所においてそれぞれ削っておくことが好ましい。このような補正により、着用者の３Ｂ寸法を第２のパターンに反映させることができる。当該補正により、脇線２７、２９と３Ｂ線との交点マ、ミは若干内側に移動され、移動後の点マ、ミにおいて、脇線２７，２９は、内側に若干屈曲することになる。前後ダーツＦＤ，ＢＤを構成する線と３Ｂ線との交点へ、ホ、ム、メにおいて、それぞれの内側に若干内側に移動され、移動後の点ホ、ム、メにおいてダーツ線がそれぞれ内側に屈曲することになる。
【００２５】
（第１のパターンのエレメントの再配置）
次に、少なくとも４個のエレメントの再配置工程について説明する。
〔ＣＦ線の調整工程〕
まず、第１のパターン４０について説明する。図７に示すように、エレメントｉとエレメントｉｉｉとを一体として、点コを回転中心として回転移動させて、直線５が下辺（ウエストライン）３１に対して垂直になるようにする。この結果、エレメントｉ、ｉｉｉとエレメントｉｉ、ｉｖとの間に隙間が生じる。また、この時、点タは２分されるため、便宜上、エレメントｉ及びｉｉｉ側を点タ１とし、エレメントｉｉ及びｉｖを点タ２とする。
【００２６】
〔バストの膨らみの内包工程その１〕
次いで、図８に示すように、点タ１と点タ２との間が、（「前丈」寸法−「背丈」寸法）開くように、エレメントｉｉ及びｉｖを下方に移動させる。この移動は、バストの膨らみを、再配置されるエレメント群に内包させる工程の一部を構成している。この時、点コは２分されるため、便宜上、エレメントｉ側を点コ１とし、エレメントｉｉ側を点コ２とする。
次いで、｛（「２Ｂ」寸法−「１Ｂ」寸法）÷２｝の寸法に基いて、エレメントｉｉｉを、肩線１５上の点ハを回転中心として外方へ移動させる。ここで、｛（「２Ｂ」寸法−「１Ｂ」寸法）÷２｝の寸法は、バストの膨らみの他、肩甲骨の膨らみを包含している。したがって、この寸法に基いて回転移動させれば、このエレメント移動によっては、バストの膨らみと肩甲骨の膨らみが、４個のエレメント領域内に包含されることになる。好ましくは、図９に示すように、エレメントｉｉｉを、肩線１５上の点ハを回転中心として、その下辺が［｛（「２Ｂ」寸法−「１Ｂ」寸法）÷２｝−Ｘ］分を外方へ移動するように回転させる。なお、ここに、Ｘは、肩甲骨の膨らみ分に相当する。この回転は、肩甲骨相当分を差し引いているためよりバストの膨らみに忠実な移動となる。この回転により、エレメントｉとエレメントｉｉｉとの間に隙間が生じる。かかる回転移動により、点タ１は二分される。便宜的に、エレメントｉ側の点を点タ１とし、エレメントｉｉｉ側の点を点タ３とする。結果として、点タ１と点タ３との距離が［｛（「２Ｂ」寸法−「１Ｂ」寸法）÷２｝の寸法−Ｘ］となる。
なお、図９における肩甲骨の膨らみ（Ｘ寸法）は、本形態（９号サイズ）では、０．２ｃｍとすることができる。また、例えば、７号であれば、０．３ｃｍとすることができる。後述するように、この肩甲骨の膨らみ分は、後身頃である第１のパターン４２において内包させることが好ましい（図１８参照）。
【００２７】
〔下方エレメントの回転移動工程〕
次に、図１０に示すように、ネックポイント点クを回転中心として、前センター丈寸法を半径とする円弧を描く。さらに、図１１に示すように、点タ１を回転中心として、エレメントｉｉ及びｉｖとを前段での配置状態を維持して回転移動させ、エレメントｉｉにおけるＣＦ線の下端である点ヌが円弧上に来るように、すなわち、点ヌがこの円弧と点接触する位置に回転移動させる。かかる回転移動により、最終的に得られるパターンにおける前センター丈、すなわち、身体前面の中央寄りの領域の外形形態（たとえば、女性の場合には、バスト間の凹状形態）に起因する寸法を内包させることができる。
【００２８】
次いで、図１２に示すように、点タ２から、エレメントｉｉｉの右下端である点ラまで直線５１を描く。この直線５１に沿って、エレメントｉｖを移動させ、エレメントｉｖの上辺がこの直線４７に一致し、かつエレメントｉｖの右上端が点ラに一致するようにする。なお、この移動により、点タ２が２分されるため、便宜的に、エレメントｉｖ側を点タ４とする。これにより、バストポイントである点タ１を中心として、バストの膨らみと肩甲骨の膨らみとが適切に内包された再配置状態を得ることができる。
【００２９】
このようにして、少なくとも４個のエレメントの再配置状態を得ることができる。図１３に示すように、この配置において、点ク、点コ１、点コ２、点フ、点ヌ、点チ、点タ２、点タ１、点タ４、点ツ、点ネ、点マ、点ラ、点ウ１、点ソ、点ハの座標によって実質的に規定することができ、ネックラインと、アームホールと、ＣＦ線と、脇線とを備えるパターンを構成することができる。このパターンが、本発明の第２のパターン６０である。このパターン６０によれば、３Ｂ寸法に基づいて各種寸法を設定し、また、前センター丈に基づいて調整されているため、着用者の身体前面の３次元形状、特に、バストの膨らみの大きさとバスト周辺の三次元形状とをより忠実に内包させることができる。
【００３０】
この第２のパターン６０にさらに修飾を加えることともできる。すなわち、既に説明したように、エレメントｉｉ及びｉｖにおける３Ｂ線との交点である、点ヘ、点ホ及び点マにおいて、所要の３Ｂ補正（３Ｂ寸法値に基づく補正）がなされている場合には、これらの補正後の当該３点を加えることにより、特にアンダーバストにフィットするパターン６０を得ることができる。なお、図１３に示す第２のパターン６０においては、既に、かかる修飾が施されている。
【００３１】
さらに、次の修飾ないし再配置も可能である。すなわち、図１４に示すように、点フを回転中心として、エレメントｉｉの３Ｂ線以下の部分（以下、エレメントｉｉの３Ｂ線以上の部分をエレメントｉｉａとし、３Ｂ線以下の部分をエレメントｉｉｂとする。）を下方に回転移動させることができる。同時に、点マを回転中心としてエレメントｉｖの３Ｂ線以下の部分（以下、エレメントｉｖの３Ｂ線以上の部分をエレメントｉｖａとし、３Ｂ線以下の部分をエレメントｉｖｂとする。）を下方に回転移動させることができる。
これらの回転移動によって、バストバストポイントからウエストラインにかけて着用者の身体表面の隆起状態を第２のパターンに内包させることができるようになる。移動距離は、好ましくは、いずれも、（前フィット丈寸法−前丈寸法）とする。これにより、第２のパターンにおいて、ネックポイントからバストポイントを通る身体前面の三次元形態が第２のパターンに導入されることになる。なお、このような回転移動を導入することにより、第２のパターン６０は、エレメントｉ、ｉｉａ、ｉｉｂ、ｉｉｉ、ｉｖａ、ｉｖｂとから構成されることになる。
【００３２】
第３の修飾によれば、第２のパターン６０において発生しうる脇線側の若干の凹みを、バストポイントを通る縦線に集約させることができる。特に、３Ｂ線に沿う実際の身体の三次元形状を内包させることができる。図１５に示すように、先ず、点ウ１と点ネとを結ぶ直線５３を描くことができる。そして、点マからエレメントｉｖａ側の３Ｂ線を延長して直線５３と交差する点マ１を得る。約（（点マ〜点マ１間距離）÷２）寸法分を点ヘ２からエレメントｉｉｂ内側に移動させて点ヘ３を得るとともに、同寸法分を点ホ２からエレメントｉｖｂ内側に移動させて点ホ３を得る。この結果、第２のパターンを、点ク、点サ、点コ１、点コ２、点フ、点ヌ、点チ、点ヘ３、点タ１、点ホ３、点ツ、点テ、点ネ、点ウ１、点ソ、点ハの座標によって実質的に規定される第２のパターン６０を得ることができる。なお、かかる修飾に伴ない、点ラは点ラ１に移動することになる。この増加分である、点ラ〜点ラ１間の距離は、後段の第３のパターンの作成時や型紙作成時において削ることができる。特に、タイトフィットなパターンあるいは型紙を得ようとする場合には、点ラ〜点ラ１間の距離を後段にて削ることが好ましい。
【００３３】
（後身頃のエレメントの再配置）
次に、第１のパターン４２から得られるエレメントの再配置工程について説明する。
〔肩甲骨の膨らみの内包工程〕
図１６に示すように、図６の第１のパターン４２におけるエレメントｉｉを、肩甲骨頂点である点テを回転中心に、直線１５上の点ヒにおいて、幅が｛（「背幅」寸法−「胸幅」寸法）÷２｝の切欠部ができるように回転させる。その際、アームホール側で前記回転部分がエレメントｉｉｉとが重なる部分ができるので、もとのＡＨ線１７の重複部分を内包するような新たなＡＨ線１７ａを描く。新たなＡＨ線１７ａと直線２３との交点を点レ１とする。
さらに、図１７に示すように、点テを回転中心として、点セ、点レ１、点テ、点ヒで囲まれる部分を、前記切開部分を埋めるようにもとにもどす。これにより、第２のパターン６２を得ることができる。すなわち、第２のパターンは、点ス、点ロ、点リ、点ニ、点メ、点テ、点ム、点ナ、点ル、点ミ、点ウ２、点レ１、点レ２、点セの座標で実質的に規定することができ、ネックラインと、アームホールと、ＣＢ線と、脇線とを備えるパターンを構成することができる。
なお、このパターン６２においては、前記切開部分を埋めないでそのまま維持することもできる。この場合、肩線１５の点ヒから点テに向かう切開部分に、肩甲骨の膨らみ分が内包されることになる。
【００３４】
このパターン６２においては以下の修飾を施すことができる。すなわち、肩甲骨の膨らみ分をさらに追加することができる。これにより、前身頃側のパターン６０に過大に内包される可能性のある肩甲骨の膨らみ分を適切に後身頃側に分配させることができる。具体的には、前身頃側のエレメントの再配置工程において、エレメントｉとｉｉｉとを開いた寸法、すなわち、［（２Ｂ−１Ｂ）÷２］寸法から肩甲骨の膨らみ分として後身頃側に分配可能である寸法分（Ｘ）をパターン６２に内包させることができる。
具体的には、図１８に示すように、エレメントｉｉ、ｉｉｉとをこの一体関係を保ったまま、脇線側に平行移動させる。移動させる距離は、前記分配可能な寸法分である。ここでは、図９に関連して既に説明したように、９号サイズの場合、たとえば０．２ｃｍとすることができ、７号サイズの場合には０．３ｃｍとすることができる。これにより、点テは２分されるため、便宜的にエレメントｉ側を点テ１とし、エレメントｉｉ側を点テ２とする。また、点ヒも２分されるため、便宜的にエレメントｉｉ側を点ヒ１とし、エレメントｉｉｉ側を点ヒ２とする。
次に、図１９に示すように、点テ１を点テ２側に、前記分配分／２寸法を延長した点テ３に対して、点ヒ１、点ヒ２、点レ１、点レ２、点ナ、点ニから直線を引いて、新たな切開分を設定する。これにより、点ス、点ロ、点リ、点ニ、点メ、点テ３、点ム、点ナ、点ル、点ミ、点ウ２、点レ１、点レ２、点セ、点ヒ２、点テ３、ヒ２の座標で実質的に規定することができる第２のパターン６２を得ることができる。
【００３５】
なお、この第２のパターン６２には、エレメントｉ及びｉｉｉにおける３Ｂ線との交点である、点メ、点ム及び点ミにおいて、所要の３Ｂ補正（３Ｂ寸法値に基づく補正）がなされている場合には、これらの補正後の当該３点を加えることにより、特にアンダーバストにフィットするパターン６２を得ることができる。なお、図１９に示す第２のパターン６２においては、既に、かかる修飾が施されている。
また、この第２のパターン６２については、エレメントｉを直線３で分割切開して、この切開部分にて背中の丸みを内包させることができる。すなわち、この場合、第２のパターン６２は４分割されることになる。背中が前側に湾曲している場合には、当該部分を切開することにより、背中側の三次元形状を第２のパターン６２に内包させることができる。
以上のような各種修飾は、肩線１５から点テに向かう切開部分を有する第２のパターン６２においても、アームホール線から点テに向かう切開部分を有するパターン６２におけるのと同様に導入可能である。
【００３６】
このようにして上前身頃の第２のパターンと上後身頃の第２のパターンを得ることができる。これらのパターンは、それぞれウエストラインより上方の身体の三次元形状を忠実に内包し、特に、バストからウエストラインにかけての立体感を反映させることができるものとなっている。
【００３７】
次に、これらの上半身パターンを、ヒップ部位を主体とする下半身パターンと結合させた第３のパターンの作成について説明する。
（下半身パターンの作成）
まず、図２０に示すように、上下辺が（ヒップ寸法÷２）であり、左右辺がヒップ丈寸法の長方形を描く。この長方形の左辺が前中心線（Ｃ・Ｆ）であり、右辺が後中心線（Ｃ・Ｂ）である。また、長方形の上辺がウエストライン（ＷＬ）、下辺がヒップライン（ＨＬ）に、それぞれ相当する。左右辺の中点を結ぶ直線７１を描く。この直線が、中ヒップライン（ＭＨＬ）に相当する。
次に、下辺の左端から［（ヒップ寸法÷４）−０．５］であり、下辺の右端から［（ヒップ寸法÷４）＋０．５］となる点ワから上辺に向かって垂直線７３を脇線案内線として描く。
【００３８】
上辺の左端から［（ウエスト寸法（Ｗ）÷４）＋ダーツ量］のところに点Ａを設定する。ここで、本形態では、ダーツ量は２ｃｍとしている。なお、このダーツ量は、第１のパターン４０で予め設定した前ダーツの量と一致していることが好ましい。
ＷＬ上の点Ａと脇線案内線７３との間の３分割点のうち、最も点Ａ寄りの分割点Ａ１と点ワとを結び、前脇線７５を描く。前脇線７５は、ＭＨＬと交わる部位で外側に膨らませること（約０．３ｃｍ）が好ましい。一方、上辺の左端から、所定寸法、好ましくは、第２のパターン６０のエレメントｉｉの下辺の長さに一致する寸法をとり、点Ｂ１を設定する。この点Ｂ１から脇線側に２ｃｍのところに点Ｂ２をとり、Ｂ１とＢ２との中点から垂線を直線７１に下ろして交点をＢ３とする。点Ｂ１〜Ｂ２〜Ｂ３を結ぶことにより、これらの点で構成される第１のダーツ７７を得る。
次いで、点Ｂ２から点Ａ１との中点から左右に等距離の位置に、点Ｃ１と点Ｃ２とを設定する。点Ｃ１〜Ｃ２間距離は、点Ａ〜Ａ１間距離に一致させる。一方、ＭＨＬ７１と前脇線７５と交点と点Ｂ３との中点をＣ３とする。点Ｃ１〜Ｃ２〜Ｃ３を結ぶことにより、これらの点で構成される第２のダーツ７９を得る。
【００３９】
次に、上辺の右端から［（ウエスト寸法÷４）＋ダーツ量］のところに点Ｄを設定する。このダーツ量は、第１のパターン４２において予め設定したダーツ量であることが好ましい。したがって、本形態では３ｃｍとなっている。
ＷＬ上の点Ｄと脇線案内線７３との間の３分割点のうち、最も点Ｄ寄りの分割点Ｄ１と点ワとを結び、前脇線８５を描く。前脇線８５は、ＭＨＬと交わる部位で膨らませる（約０．３ｃｍ）ことが好ましい。一方、上辺の右端から、所定寸法、好ましくは、第２のパターン６２のエレメントｉ下辺の長さに一致する寸法をとり、点Ｅ１を設定する。この点Ｅ１から脇線側に（ダーツ量）寸法のところに点Ｅ２をとり、Ｅ１とＥ２との中点から、ＭＨＬより２ｃｍ平行に下がった線８０に対して垂線を下ろして交点をＥ３とする。点Ｅ１〜Ｅ２〜Ｅ３を結ぶことにより、これらの点で構成される第１のダーツ８７を得る。後脇線８５は、ＭＨＬと交わる部位で外側に膨らませること（約０．３ｃｍ）が好ましい。
次いで、点Ｅ２から点Ｄ１との中点から左右に等距離の位置に、点Ｆ１と点Ｆ２とを設定する。点Ｆ１〜Ｆ２間距離は、点Ｄ〜Ｄ１間距離に一致させる。一方、線８０と前脇線８５と交点と点Ｅ３との中点をＦ３とする。点Ｆ１〜Ｆ２〜Ｆ３を結ぶことにより、これらの点で構成される第２のダーツ８９を得る。
これにより、下半身パターン９０、９２を得ることができる。なお、これらのパターン９０、９２においては、必要に応じて変更を加えることができる。たとえば、第１のダーツ、７５，８５、及び第２のダーツ７９、８９については、それぞれの位置及び切開幅を適宜変更することができる。
【００４０】
次に、上半身パターン６０，６２とを、ヒップ部位を主体とする下半身パターン９０，９２と結合させる。
〔前身頃パターンの結合〕
図２１及び２２に示すように、パターン６０のバストポイントである点タ１からアームホール線２１とアームホール線作成時に用いた補助線（対面変化線ともいう。）３との交点Ｘとを結ぶ直線９１を描く。また、点Ｘから、パターン６０の点ツと点ネとの中点Ｙとを結ぶ直線９３を描く。
次いで、点タ１を回転中心として、点コ１〜点タ１〜点ヘ３〜点チ〜点ヌ〜点フ〜点コ２を結んで得られる部分を、点コ２〜点フとを結ぶ線が垂直に起きるように回転させる。さらに、点ヘ３を回転中心として、点フ〜点ヘ３〜点チ〜点ヌを結ぶ部分を、点フ〜点ヌとを結ぶ線が垂直に起きるように回転させる。
【００４１】
次に、前中心線をそろえた第２のパターン６０に下半身パターン９０を合わせる。第１のダーツ７７の開口幅に点チ〜点ツとがおおよそ一致するように、点タ１を回転中心に、点タ１〜点Ｘ〜点ウ１〜点ネ〜点ツ〜点ホ３を結ぶ部分を回転移動させる。
次に、回転により点Ｘが２分して生成した点Ｘ２を回転中心として、点Ｘ２〜点ウ１〜点ネ〜点Ｙで規定される部分を第２のダーツ７９の開口幅に切開幅（点Ｙ１〜点Ｙ２）がおおよそ一致するように回転させる。最終的に得られるパターンを図２２に示す。これにより、第３のパターン１００を得ることができる。
【００４２】
次に、図２３に示すように、第２のパターン６２において、対面変化線４とアームホール線１７ａとの交点Ｚから点ル〜点ナとを結ぶ線の中点Ｗにまで到達する直線９５を描く。
このパターン６２に下半身パターン９２を合わせる。なお、第２のパターン６２における点ナ〜点ニ間の距離は、第１のダーツ８７の開口幅に予め一致させてある。そして、点Ｚを回転中心として、点Ｚ〜点Ｗ〜点ル〜点ウで規定される部分を、下半身パターン９２の第２のダーツ８９の開口幅に切開幅（点Ｗ１〜点Ｗ２）がほぼ一致するように回転させる。これにより、第３のパターン１０２を得ることができる。
【００４３】
このようにして得られた第３のパターン１００，１０２は、本発明の第２のパターン６０、６２における特徴をそのまま有し、かつヒップ部分のパターンも同時に備えるものとなっている。したがって、第３のパターン１００、１０２は、着用者の胴体部分の三次元的特徴を忠実に表現したものとなっている。この第３のパターン１００、１０２に対して、たとえば、襟ぐりのゆとり、身幅のゆとり、肩パッとのゆとり、アームホールのゆとり、クビ傾斜分の追加、袖底の移動などのゆとり量を加え、衣服の輪郭を付与することにより、型紙を得ることができる。第３のパターン１００、１０２がそれぞれ着用者の胴体部分の三次元的特徴を忠実に反映しているため、この第３のパターンに対して、各種ゆとり量や衣服の輪郭を付与することにより、着用者の体型に対応し、かつ所望のデザインやゆとり量が適切に付与された型紙を容易に得ることができる。また、補正を低減することができる。なお、ゆとり量や補正量は、作製しようとする衣服の種類や着用者の体型によって適宜選択される。体型を表したパターンに対して、追加するゆとり量や補正量は、パターンから型紙を作製する技術分野において当業者において周知の事項である。
【００４４】
なお、上記した各パターンにおけるダーツをいれる箇所は、本発明の趣旨の範囲内にある限り限定するものではない。また、ダーツの数も同様である。
なお、上記した工程において、その順序について特に限定しない。最終的に第１のパターン、第２のパターン、第３のパターン、型紙という４種の異なるステージでのパターンを得ることができれば、それに至る工程の順序は特に問わない。特に、後述するようにコンピュータを用いてこれらの工程を実施する場合には、コンピュータ内の処理によって複雑さを回避できる場合もあるからである。さらに、各工程内における移動の順序についても同様である。
また、各工程において使用する寸法や移動量を一義的に記載しているが、いずれも、特定寸法に限定する趣旨ではなく、最も好ましい採用寸法値や採用移動量として記載している。
【００４５】
本発明における第１のパターン、第２のパターン、及び第３のパターンの作製は、いずれも、手作業によって紙面などのシート状体上において実施することもできるが、好ましくは、これらの工程を実行できるプログラムを用いてコンピュータ等で実施する。したがって、本発明は、これらの工程（少なくとも第１のパターンの作成から第２のパターンの作成工程を含み、さらに、第３のパターンの作成工程や型紙作成工程まで包含することができる）を実行できるプログラム自体、当該プログラムを記憶させた記憶媒体、当該プログラムを実行可能に備えるコンピュータ、当該コンピュータとモニターとを備えるＣＡＤ装置を提供する。プログラム化することにより、使用する寸法等を入力することによって、自動的に第１のパターン、第２のパターン、第３のパターン、型紙までのいずれの段階にまでも自動的にパターンや型紙を作成することができる。
【００４６】
【発明の効果】
本発明によれば、バストからウエストラインにかけての三次元形状を反映したパターンの作成技術を提供することができる。これにより、最終的に得られる衣服において、所望のデザインやフィット感を容易に付与することができる。
【図面の簡単な説明】
【図１】本発明において使用する寸法実測値の採寸位置を示す図（Ａ）〜（Ｄ）である。
【図２】体型サイズ表の一例を示す図である。
【図３】本発明の一実施形態における衣服用パターンの作成工程のうち第１のパターンの作成工程の一部を示す図である。
【図４】本発明の一実施形態における衣服用パターンの作成工程のうち第１のパターンの作成工程の一部を示す図である。
【図５】本発明の一実施形態における衣服用パターンの作成工程のうち第１のパターンの作成工程の一部を示す図である。
【図６】本発明の一実施形態における衣服用パターンの作成工程のうち第１のパターン作成工程の一部を示す図である。
【図７】本発明の一実施形態における衣服用パターンの作成工程のうち第２のパターン作成工程の一部を示す図である。
【図８】本発明の一実施形態における衣服用パターンの作成工程のうち第２のパターン作成工程の一部を示す図である。
【図９】本発明の一実施形態における衣服用パターンの作成工程のうち第２のパターン作成工程の一部を示す図である。
【図１０】本発明の一実施形態における衣服用パターンの作成工程のうち第２のパターン作成工程の一部を示す図である。
【図１１】本発明の一実施形態における衣服用パターンの作成工程のうち第２のパターン作成工程の一部を示す図である。
【図１２】本発明の一実施形態における衣服用パターンの作成工程のうち第２のパターン作成工程の一部を示す図である。
【図１３】本発明の一実施形態における衣服用パターンの作成工程のうち第２のパターン作成工程の一部を示す図である。
【図１４】本発明の一実施形態における衣服用パターンの作成工程のうち第２のパターン作成工程の一部を示す図である。
【図１５】本発明の一実施形態における衣服用パターンの作成工程のうち第２のパターン作成工程の一部を示す図である。
【図１６】本発明の一実施形態における衣服用パターンの作成工程のうち第２のパターン作成工程の一部を示す図である。
【図１７】本発明の一実施形態における衣服用パターンの作成工程のうち第２のパターン作成工程の一部を示す図である。
【図１８】本発明の一実施形態における衣服用パターンの作成工程のうち第２のパターン作成工程の一部を示す図である。
【図１９】本発明の一実施形態における衣服用パターンの作成工程のうち第２のパターン作成工程の一部を示す図である。
【図２０】本発明の一実施形態における衣服用パターン作成工程のうち、第３のパターン作成工程の一部を示す図である。
【図２１】本発明の一実施形態における衣服用パターン作成工程のうち、第３のパターン作成工程の一部を示す図である。
【図２２】本発明の一実施形態における衣服用パターン作成工程のうち、第３のパターン作成工程の一部を示す図である。
【図２３】本発明の一実施形態における衣服用パターン作成工程のうち、第３のパターン作成工程の一部を示す図である。
【図２４】本発明の一実施形態における衣服用パターン作成工程のうち、第３のパターン作成工程の一部を示す図である。
【符号の説明】
４０、４２  第１のパターン
６０、６２  第２のパターン
９０、９２  下半身パターン
１００，１０２  第３のパターン
【図１】
2004232103.tif 000003
【図２】
2004232103.tif 000004
【図３】
2004232103.tif 000005
【図４】
2004232103.tif 000006
【図５】
2004232103.tif 000007
【図６】
2004232103.tif 000008
【図７】
2004232103.tif 000009
【図８】
2004232103.tif 000010
【図９】
2004232103.tif 000011
【図１０】
2004232103.tif 000012
【図１１】
2004232103.tif 000013
【図１２】
2004232103.tif 000014
【図１３】
2004232103.tif 000015
【図１４】
2004232103.tif 000016
【図１５】
2004232103.tif 000017
【図１６】
2004232103.tif 000018
【図１７】
2004232103.tif 000019
【図１８】
2004232103.tif 000020
【図１９】
2004232103.tif 000021
【図２０】
2004232103.tif 000022
【図２１】
2004232103.tif 000023
【図２２】
2004232103.tif 000024
【図２３】
2004232103.tif 000025
【図２４】
2004232103.tif 000026